(57)【要約】【課題】ユーザーの手を煩わせることなく記録メディアの誤挿入を未然に防ぐことが可能な原稿読取装置を提供する。【解決手段】原稿読取装置１０は、載置台２４に載置された原稿Ｐの画像を読み取る原稿読取部１４と、原稿読取部１４により読み取られた画像の画像データを第１の記録メディアＡに記録する第１の記録装置１８Ａと、第２の記録メディアＢに記録する第２の記録装置１８Ｂと、第３の記録メディアＣに記録する第３の記録装置１８Ｃと、載置台２４に載置された記録メディアの表面を読み取った表面画像データに基づいて、記録メディアの表面の画素数をカウントし、このカウント値に基づいて記録メディアの種類を判別する制御部１２と、を備えている。【選択図】図１
2007201767.tif 000002
【特許請求の範囲】
【請求項１】
載置台に載置された原稿の画像を読み取る読取手段と、
記録媒体を抜き差し可能であって、前記読取手段により読み取られた画像の画像データを前記記録媒体に記録する記録手段と、
前記載置台に載置された記録媒体の表面を読み取った表面画像データに基づいて、前記記録媒体の表面の画素数をカウントするカウント手段と、
前記カウント手段のカウント値に基づいて前記記録媒体の種類を判別する判別手段と、
を備えた原稿読取装置。
【請求項２】
前記カウント手段は、前記載置台を覆うカバーを開けた第１の状態において前記記録媒体の表面を読み取った第１の表面画像データに基づいて、前記記録媒体の表面の前記カバーと同一色の第１の画素数をカウントすると共に、前記第１の状態における前記記録媒体の表面の読み取りが終了した後、前記カバーを閉じた第２の状態において前記記録媒体の表面を読み取った第２の表面画像データに基づいて、前記記録媒体の表面の前記カバーと非同一色の第２の画素数をカウントし、前記第１の画素数と前記第２の画素数とを加算することにより前記記録媒体の表面の画素数を算出することを特徴とする請求項１記載の原稿読取装置。
【請求項３】
前記記録媒体の種類を判別する際に、前記第１の状態で前記記録媒体の表面を読み取るようにユーザーに報知すると共に、前記第１の状態における前記記録媒体の表面の読み取りが終了した後、前記第２の状態で前記記録媒体の表面を読み取るようにユーザーに報知する報知する報知手段をさらに備えたことを特徴とする請求項２記載の原稿読取装置。
【請求項４】
前記判別手段により判別された記録媒体の種類を表示する表示手段をさらに備えたことを特徴とする請求項１乃至請求項３の何れか１項に記載の原稿読取装置。
【請求項５】
複数種類の記録媒体の各々に対応して前記記録手段を複数備えたことを特徴とする請求項１乃至請求項４の何れか１項に記載の原稿読取装置。
【発明の詳細な説明】
【技術分野】
【０００１】
本発明は、原稿読取装置に係り、より詳しくは、読み取った原稿の画像データをメモリーカードに記録する記録装置を備えた原稿読取装置に関する。
【背景技術】
【０００２】
従来、原稿読取装置で原稿を読み取り、読み取った原稿画像の画像データを画像ファイルとして記録メディアに保存する、所謂「スキャンｔｏメディア」を行う装置がある。この記録メディアには多くの種類の物が各メーカーから市販されており、その形状は様々である。
【０００３】
スキャンｔｏメディアを実現する原稿読取装置においては、より多くの種類の記録メディアを使用できることが好ましいが、それを実現する方法として、それぞれの記録メディアに対応した挿入口を、その種類の数だけ設ける方法がある。
【０００４】
しかしながら、記録メディアの挿入口が増える事により、ユーザーは自分の持っている記録メディアをどの挿入口に挿入すれば良いのか迷う事がある。誤った挿入口に記録メディアを挿入すると、記録メディアそのものが破壊されたり、記録メディアにデータを書き込んだり記録メディアに記録されたデータを読み込んだりするためのメディアリーダーが破壊されたりする可能性がある。
【０００５】
現在では、記録メディアの挿入口の側に、対応する記録メディアの種類を表示する方法や、ユーザインターフェースから記録メディアの名称を選択し、選択された記録メディアの挿入口をＬＥＤの点灯等で指示する方法が取られているが、記録メディアの名称が分からない初心者ユーザ等にはこの方法も有効で無い場合がある。また、記録メディアの形状と、その名称が対になった表が用意されている場合もあるが、これを逐一確認する事はユーザーにとっては面倒であり、利便性がよいとはいえない。
【０００６】
特許文献１には、記録メディアとしてのＩＣカードの表面をイメージセンサで読み取り、読み取った画像に基づいて検出した接点パターンと登録された接点パターンとを比較することによりＩＣカードを判別し、処理の高速化を図る技術が開示されている。
【０００７】
また、特許文献２には、複数種類の記憶媒体を１つのスロットに挿入できる装置において、複数種類の記録メディアを載せることが可能なトレイを設け、記録メディアの形状に合った段差を設けることにより、記録メディアの種類によって固定される位置が定まり、電気的接続前に記録メディアの種類を識別することができる装置が開示されている。
【０００８】
また、特許文献３には、撮像装置によって記録メディアを撮像し、その画像情報、各種記録メディアの画像情報と照合することにより記録メディアの種類を判別し、複数の記録メディアの挿入口のシャッターの開閉やＬＥＤの点灯を行う装置が開示されている。ここで、画像情報の照合は、輪郭の抽出、あるいは形状の縦横比によって行う。
【特許文献１】特開平０３−１１６２９２号公報
【特許文献２】特開２００１−３０７０３６号公報
【特許文献３】特開２００５−４５９２号公報
【発明の開示】
【発明が解決しようとする課題】
【０００９】
しかしながら、特許文献１に記載された技術は、同一形状で模様が異なる記録メディアの種類を判別する装置に適用することは可能ではあるが、形状が異なる記録メディアの種類を判別する装置に適用するのは困難である。市販されている記録メディアの種類はメーカや品種が多く、記録メディアの表面上の模様のみで種類を判別するのは現実的では無い。また、特許文献１に記載された技術は、記録メディアを挿入口に挿入した後に、その種類を検知するものであり、異なる種類の記録メディアを誤挿入を防ぐことができない。
【００１０】
また、特許文献２に記載された技術では、トレイ上に載せられた記録メディアを装置に接続する機構等が必要となり、読取装置側が複雑化してしまい、コストが高くなる。
【００１１】
また、特許文献３に記載された技術では、記録メディアの輪郭の抽出等による画像処理が必要となるが、このような画像処理は複雑で且つ処理負担が大きい。また、記録メディアの外形を比較する為には外形の画像情報を装置内に予め記憶しておく必要があり、装置内の記憶領域を記録メディアの種類分占有してしまう。
【００１２】
本発明は、上記問題を解決すべく成されたものであり、簡単かつ安価な構成によりユーザーの手を煩わせることなく記録メディアの誤挿入を未然に防ぐことが可能な原稿読取装置を提供することを目的とする。
【課題を解決するための手段】
【００１３】
上記目的を達成するために、請求項１記載の発明は、載置台に載置された原稿の画像を読み取る読取手段と、記録媒体を抜き差し可能であって、前記読取手段により読み取られた画像の画像データを前記記録媒体に記録する記録手段と、前記載置台に載置された記録媒体の表面を読み取った表面画像データに基づいて、前記記録媒体の表面の画素数をカウントするカウント手段と、前記カウント手段のカウント値に基づいて前記記録媒体の種類を判別する判別手段と、を備えたことを特徴とする。
【００１４】
この発明によれば、載置台に載置された記録媒体の表面を読み取った表面画像データに基づいて、記録媒体の表面の画素数をカウントし、このカウント値に基づいて記録媒体の種類を判別する。従って、記録メディアの種類を判別するための特別な機構が必要なく、簡単かつ安価な構成によりユーザーの手を煩わせることなく記録メディアの誤挿入を未然に防ぐことができる。
【００１５】
なお、請求項２に記載したように、前記カウント手段は、前記載置台を覆うカバーを開けた第１の状態において前記記録媒体の表面を読み取った第１の表面画像データに基づいて、前記記録媒体の表面の前記カバーと同一色の第１の画素数をカウントすると共に、前記第１の状態における前記記録媒体の表面の読み取りが終了した後、前記カバーを閉じた第２の状態において前記記録媒体の表面を読み取った第２の表面画像データに基づいて、前記記録媒体の表面の前記カバーと非同一色の第２の画素数をカウントし、前記第１の画素数と前記第２の画素数とを加算することにより前記記録媒体の表面の画素数を算出するようにしてもよい。
【００１６】
これにより、記録媒体の表面にカバーの色と同一の色がある場合でも、記録媒体の表面面積の画素数を正確に算出することができる。
【００１７】
また、請求項３に記載したように、前記記録媒体の種類を判別する際に、前記第１の状態で前記記録媒体の表面を読み取るようにユーザーに報知すると共に、前記第１の状態における前記記録媒体の表面の読み取りが終了した後、前記第２の状態で前記記録媒体の表面を読み取るようにユーザーに報知する報知する報知手段をさらに備えた構成としてもよい。これにより、ユーザーの誤操作を防ぎ、記録媒体の表面面積の画素数を正確に算出することができる。
【００１８】
また、請求項４に記載したように、前記判別手段により判別された記録媒体の種類を表示する表示手段をさらに備えた構成としてもよい。これにより、ユーザーは判別された記録媒体の種類を容易に認識することができる。
【００１９】
また、請求項５に記載したように、複数種類の記録媒体の各々に対応して前記記録手段を複数備えた構成としてもよい。このような構成の場合、どの記録手段に記録媒体をセットすればよいかがわかりにくい場合があるが、記録媒体の種類を判別することにより、誤挿入を防ぐことが可能となる。
【発明の効果】
【００２０】
以上説明したように、本発明によれば、ユーザーの手を煩わせることなく記録メディアの誤挿入を未然に防ぐことが可能になる、という効果を有する。
【発明を実施するための最良の形態】
【００２１】
以下、本発明の実施形態について説明する。
【００２２】
図１には、本実施形態に係る原稿読取装置１０の概略構成を示した。同図に示すように、原稿読取装置１０は、制御部１２、原稿読取部１４、ユーザインタフェース１６、第１の記録装置１８Ａ、第２の記録装置１８Ｂ、第３の記録装置１８Ｃ、第１のＬＥＤ２０Ａ、第２のＬＥＤ２０Ｂ、第３のＬＥＤ２０Ｃ、及びハードディスク２２を含んで構成されている。
【００２３】
原稿読取部１４は、プラテンガラス等で構成された載置台２４に載置された原稿Ｐに記録された画像を読み取る。原稿読取部１４は、図示は省略するが、載置台に載置された原稿Ｐに向けて光を照射する光源、原稿Ｐに照射された光の反射光を受光し、原稿Ｐの１ライン分の白黒画像を読み取るラインＣＣＤ、ラインＣＣＤを載置台の一端から他端まで移動させる機構、すなわち原稿Ｐを走査する走査機構等を含んで構成される。なお、原稿読取部１４の構成は、これに限らず、載置台に載置された被読取対象の画像を読み取ることができるものであればよく、種々公知の読取装置を採用することができる。
【００２４】
ユーザインタフェース１６は、各種画面を表示する表示機能及び各種画面に応じた操作が可能な操作機能を備えた液晶タッチパネルや、読取開始ボタン等の各種ボタンを含んで構成される。
【００２５】
第１の記録装置１８Ａは、第１の記録メディアＡ（例えばコンパクトフラッシュ（登録商標））を抜き差し可能であり、挿入された第１の記録メディアＡに対して原稿読取部１４で読み取った画像の画像データを書き込むことが可能である。
【００２６】
第２の記録装置１８Ｂも同様に、第２の記録メディアＢ（例えばＳＤカード）を抜き差し可能であり、挿入された第２の記録メディアＢに対して原稿読取部１４で読み取った画像の画像データを書き込むことが可能である。
【００２７】
第３の記録装置１８Ｃも同様に、第３の記録メディアＣ（例えばメモリースティック）を抜き差し可能であり、挿入された第３の記録メディアＣに対して原稿読取部１４で読み取った画像の画像データを書き込むことが可能である。
【００２８】
第１のＬＥＤ２０Ａは、後述する制御部１２で実行されるメディア種類判別処理によりユーザーが使用する記録メディアが第１の記録メディアＡと判別された場合に点灯するＬＥＤであり、第２のＬＥＤ２０Ｂは、ユーザーが使用する記録メディアが第２の記録メディアＢと判別された場合に点灯するＬＥＤであり、第３のＬＥＤ２０Ｃは、ユーザーが使用する記録メディアが第３の記録メディアＣと判別された場合に点灯するＬＥＤである。
【００２９】
ハードディスク２２には、後述するメディア種類判別処理の制御プログラム等の各種プログラムやパラメータ、後述するメディア面積画素数テーブルが記憶されている。制御部１２は、上記の各部を統括制御する。
【００３０】
このように、原稿読取装置１０は、原稿読取部１４で読み取った原稿Ｐの画像の画像データを、複数種類の記録メディアに記録することができる。
【００３１】
次に、本実施形態の作用として、制御部１２で実行されるメディア種類判別処理について、図２に示すフローチャートを参照して説明する。
【００３２】
原稿読取装置１０は、電源が投入されると、図示しないメニュー画面をユーザインタフェース１６に表示する。このメインメニューには、ユーザーが選択可能な各種機能の項目が表示され、そのうちの一つには、原稿読取部１４で読み取った原稿Ｐの画像の画像データを記録メディアに記録する「スキャンｔｏメディア」機能の項目が表示される。「スキャンｔｏメディア」機能が選択されると、この機能の図示しないサブメニュー画面がユーザインタフェース１６に表示される。このサブメニュー画面には、「スキャンｔｏメディア」における図示しない各種機能の項目が表示され、そのうちの一つとして、ユーザーが利用する記録メディアの種類を自動で判別する「メディア種類判別」の項目が表示される。図２に示す処理は、このサブメニュー画面が表示された状態で「メディア種類判別」が選択されると実行される。
【００３３】
まず、ステップ１００では、載置台２４上に記録メディアを載置し、載置台２４を覆うカバー２６を開けたまま図示しない読取開始ボタンを押下するよう促すメッセージをユーザインタフェース１６に表示させる。これにより、ユーザーは、カバー２６を開けて記録メディアを載置台２４上に載置し、カバー２６を開けたまま読取開始ボタンを押下する。なお、音声出力装置を備え、メッセージを表示する代わりに、又はメッセージを表示すると共に、メッセージを音声出力するようにしてもよい。
【００３４】
ステップ１０２では、読取開始ボタンが押下されたか否かを判断する。そして、読取開始ボタンが押下された場合には、ステップ１０４へ移行し、原稿読取部１４にスキャンするよう指示する。これにより、原稿読取部１４では、載置台２４上に載置された記録メディアの表面の画像を読み取る。読み取られた画像の第１の表面画像データは、ハードディスク２２に記憶される。
【００３５】
なお、カバー２６が開いているか閉じているかを検出するセンサを設け、このセンサによりカバー２６が開いていないことが検出された状態で読取開始ボタンが押下された場合には、カバー２６が開いていないことを警告する警告メッセージをユーザインタフェース１６に表示するようにしてもよい。
【００３６】
ステップ１０６では、第１の表面画像データに基づいて、カバー２６の載置台２４側の面の色と同一色である画素の画素数ａをカウントする。カバー２６の載置台２４と対向する側の面は、通常は白色であるため、ここでは、第１の表面画像データに基づいて、白色の画素数をカウントする。なお、白色であるか否かの判断は、ある程度の許容幅を持たせて判断する。すなわち、真っ白に限らず、ほぼ白色と言える範囲内の色、すなわち所定レベル以上の明るさの色は白色と判断する。
【００３７】
例えば判別対象の記録メディアが図３（Ａ）に示すような記録メディア２８の場合について説明する。この記録メディア２８は、同図（Ａ）に示すように、その表面に円状の白色の模様２８Ａ、すなわちカバー２６の載置台２４側の面の色と同一色の模様２８Ａがあり、その他の領域２８Ｂ（図中斜線で示す領域）は白色でも黒色でもない色、例えば灰色となっている。
【００３８】
このような記録メディア２８をカバー２６を開けてスキャンした画像は、同図（Ｂ）に示すような画像となる。すなわち、記録メディア２８の表面以外の領域は、カバー２６を開けた状態でスキャンしているため、ほぼ黒色となる。従って、カバー２６の載置台２４側の面の色と同一色である模様２８Ａの画素数が画素数ａとしてカウントされる。
【００３９】
ステップ１０８では、カバー２６を閉じてから図示しない読取開始ボタンを押下するよう促すメッセージをユーザインタフェース１６に表示させる。これにより、ユーザーは、カバー２６を閉じてから読取開始ボタンを押下する。
【００４０】
ステップ１１０では、読取開始ボタンが押下されたか否かを判断する。そして、読取開始ボタンが押下された場合には、ステップ１１２へ移行し、原稿読取部１４にスキャンするよう指示する。これにより、原稿読取部１４では、載置台２４上に載置された記録メディアの表面の画像を読み取る。読み取られた画像の第２の表面画像データは、ハードディスク２２に記憶される。
【００４１】
なお、カバー２６が開いているか閉じているかを検出するセンサを設け、このセンサによりカバー２６が閉じていないことが検出された状態で読取開始ボタンが押下された場合には、カバー２６が閉じていないことを警告する警告メッセージをユーザインタフェース１６に表示するようにしてもよい。また、ステップ１０８で、カバー２６を閉じることだけを促すメッセージをユーザインタフェース１６に表示させ、カバー２６が閉じたことをセンサが検出した場合に直ぐにスキャンを実行するようにしてもよい。
【００４２】
ステップ１１４では、第２の表面画像データに基づいて、カバー２６の載置台２４側の面の色と非同一色である画素の画素数ｂをカウントする。すなわち、第２の表面画像データに基づいて、白色以外の色の画素数、換言すれば、所定レベル未満の明るさの色の画素数をカウントする。
【００４３】
図３（Ａ）に示すような記録メディア２８をカバー２６を閉じてスキャンした画像は、同図（Ｃ）に示すような画像となる。すなわち、記録メディア２８の表面以外の領域は、カバー２６を閉じた状態でスキャンしているため、カバー２６の載置台２４側の面の色、すなわち白色となる。また、記録メディア２８の模様２８Ａも白色である。従って、記録メディア２８の表面画像のうち、模様２８Ａを除いたその他の領域２８Ｂの画素数が画素数ｂとしてカウントされる。
【００４４】
ステップ１１６では、記録メディア２８の画素数ｃを算出する。すなわち、画素数ａと画素数ｂとを加算し、これを記録メディア２８の画素数ｃとする。
【００４５】
ステップ１１８では、記録メディア２８の種類を判別する。具体的には、ステップ１１６で算出した画素数ｃと、ハードディスク２２に予め記憶されたメディア面積画素数テーブルとに基づいて記録メディア２８の種類を判別する。メディア面積画素数テーブルは、図４に示すように、記録メディアの種類と、メディア面積画素数の範囲との対応関係を示すデータである。なお、メディア面積画素数の範囲を表す上限値及び下限値は、原稿読取部１４の解像度に応じた値に設定される。従って、ステップ１１８で算出した画素数ｃが、メディア面積画素数テーブルの何れかのメディア面積画素数の範囲内となれば、その範囲に対応した記録メディアであると判断できる。すなわち、画素数ｃが画素数Ａ１以上Ａ２以下であれば記録メディアＡであると判断でき、画素数ｃが画素数Ｂ１以上Ｂ２以下であれば記録メディアＢであると判断でき、画素数ｃが画素数Ｃ１以上Ｃ２以下であれば記録メディアＣであると判断できる。
【００４６】
ステップ１２０では、判別した記録メディアに対応するＬＥＤを点灯させる。すなわち、ステップ１１８で記録メディアＡと判別された場合には、第１の記録装置１８Ａに対応する第１のＬＥＤ２０Ａを点灯させ、記録メディアＢと判別された場合には、第２の記録装置１８Ｂに対応する第２のＬＥＤ２０Ｂを点灯させ、記録メディアＣと判別された場合には、第３の記録装置１８Ｃに対応する第３のＬＥＤ２０Ｃを点灯させる。なお、点灯でなく点滅させるようにしてもよい。これにより、ユーザーは、記録メディアを挿入すべき記録装置を容易に認識することができ、誤挿入を未然に防ぐことができる。
【００４７】
なお、ＬＥＤを点灯させるのに代えて、又はＬＥＤを点灯させると共に、「上から２番目のスロット」等のようなメッセージをユーザインタフェース１６に表示させることにより挿入すべき記録装置の位置を示すようにしてもよい。また、メッセージを音声出力するようにしてもよい。
【００４８】
さらに、第１の記録装置１８Ａ、第２の記録装置１８Ｂ、第３の記録装置１８Ｃの記録メディアの挿入口にシャッター機構を設け、判別された記録メディアを挿入すべき記録装置の挿入口のシャッターのみを開き、それ以外の記録装置の挿入口のシャッターを閉めるようにしてもよい。これにより、より確実に誤挿入を防止することができる。
【００４９】
ユーザーは、点灯したＬＥＤに対応する記録装置に記録メディアを挿入し、原稿Ｐを載置台２４上にセットして読取開始ボタンを押下する。これにより、原稿Ｐを読み取った画像の画像データが記録装置に挿入した記録メディアに記録される。
【００５０】
このように、本実施形態では、事前に記録メディアをスキャンするだけで記録メディアの種類を判別することができる。従って、記録メディアの種類を判別するための特別な機構が必要なく、簡単かつ安価な構成によりユーザーの手を煩わせることなく記録メディアの誤挿入を未然に防ぐことができる。
【００５１】
また、記録メディアの表面の面積の画素数に基づいて記録メディアの種類を判別するので、記録メディアを載置台２４に置く角度等の置き方の如何に関わらず常に同一の処理で判別することができる。
【００５２】
また、一旦カバー２６を開けた状態でスキャンした時の第１の表面画像データと、その後カバー２６を閉じた状態でスキャンした時の第２の表面画像データとに基づいて記録メディアの表面面積の画素数をカウントすることにより記録メディアの種類を判別するので、記録メディアにカバー２６と同一色の模様が存在する場合でも、正確に記録メディアの表面面積の画素数をカウントすることができる。
【００５３】
なお、例えば判別対象の記録メディアの表面の全領域がカバー２６の色と同じ白色のような場合には、カバー２６を開けた状態でスキャンし、その画像データのみから記録メディアの表面面積の画素数が得られる。このため、例えば記録メディアの表面の色が全て白色であるか否かをユーザーに選択させ、記録メディアの色が全て白色である場合には、図２のステップ１０８〜１１６の処理を省略するようにしてもよい。
【００５４】
同様に、判別対象の記録メディアの表面の全領域にカバー２６の色と同じ色を含まない場合には、カバー２６を閉じた状態でスキャンし、その画像データのみから記録メディアの表面面積の画素数が得られる。このため、例えば記録メディアの表面が全て白色以外の色であるか否かをユーザーに選択させ、記録メディアの色が全て白色以外の色である場合には、図２のステップ１００〜１０６、１１６の処理を省略するようにしてもよい。
【００５５】
また、本実施形態では、複数の記録装置を備えた構成の原稿読取装置について説明したが、これに限らず、単一の記録装置を備えた原稿読取装置であって、記録メディアの種類に応じて設けられ単一の記録装置に抜き差し可能なアダプタの種類を指示する原稿読取装置に本発明を適用することも可能である。
【００５６】
また、本実施形態では、原稿読取部１４のＣＣＤは白黒のＣＣＤとし、モノクロの原稿読取装置に本発明を適用した場合について説明したが、カラーＣＣＤを用いたカラー原稿読取装置に本発明を適用することも可能である。
【図面の簡単な説明】
【００５７】
【図１】原稿読取装置の概略構成図である。
【図２】制御部で実行されるメディア種類判別処理のフローチャートである。
【図３】（Ａ）は記録メディアの平面図、（Ｂ）はカバーを開けた状態で記録メディアの表面をスキャンしたときの画像のイメージ図、（Ｃ）はカバーを閉じた状態で記録メディアの表面をスキャンしたときの画像のイメージ図である。
【図４】メディア面積画素数テーブルを示す図である。
【符号の説明】
【００５８】
１０      原稿読取装置
１２      制御部
１４      原稿読取部
１６      ユーザインタフェース
１８Ａ      第１の記録装置
１８Ｂ      第２の記録装置
１８Ｃ      第３の記録装置
２２      ハードディスク
２４      載置台
２６      カバー
２８      記録メディア
２８Ａ      模様
２８Ｂ      その他の領域
【図１】
2007201767.tif 000003
【図２】
2007201767.tif 000004
【図３】
2007201767.tif 000005
【図４】
2007201767.tif 000006